(57)【特許請求の範囲】
【請求項１】
分散型発電機コンポーネントの再配置を識別するための方法であって、前記方法の少なくとも一部が、少なくとも一つのプロセッサを備えるコントローラによって実行され、前記方法が、
分散型発電機（ＤＧ）の第１のコンポーネントのための第１の識別情報（ＩＤ）と、前記ＤＧの第２のコンポーネントのための第２のＩＤとを取得するステップであって、前記第１のコンポーネントが光起電（ＰＶ）モジュールであり、前記第２のコンポーネントがインバータである、該ステップと、
前記第１のＩＤと前記第２のＩＤとの関連付けを生成するステップであって、前記関連付けが前記第１のコンポーネントと前記第２のコンポーネントとの関係を識別する、該ステップと、
前記関連付けが変化したかどうかを判定するために、前記関連付けを複数の記録された関連付けと比較するステップと
を含む方法。
【請求項２】
前記関連付けが変化したと判定した場合に、前記第１のコンポーネント又は前記第２のコンポーネントの少なくとも一方による発電を阻止するステップ
をさらに含む請求項１に記載の方法。
【請求項３】
前記第１のコンポーネント又は前記第２のコンポーネントの少なくとも一方の所在地を決定するステップ
をさらに含む請求項１に記載の方法。
【請求項４】
前記関連付けが変化したと判定した場合に通知を生成するステップ
をさらに含む請求項１に記載の方法。
【請求項５】
前記第１のコンポーネントに結合された電子タグから前記第１のＩＤを電子的に送信するステップ
をさらに含む請求項１に記載の方法。
【請求項６】
前記第１のＩＤを取得するステップが、前記電子タグに電子的に問い合わせるサブステップを含む、
請求項５に記載の方法。
【請求項７】
分散型発電機コンポーネントの再配置を識別するための装置であって、
分散型発電機（ＤＧ）内の第１のコンポーネントを識別する第１の識別情報（ＩＤ）を電子的に提供するために前記第１のコンポーネントに結合することが可能な電子タグと、
前記第１のＩＤと第２のＩＤとの関連付けを複数の記録された関連付けと比較して、前記関連付けが変化したかどうかを判定するためのマスタコントローラであって、前記第２のＩＤが前記ＤＧ内の第２のコンポーネントを識別する、該マスタコントローラと
を備え、
前記第１のコンポーネントが光起電（ＰＶ）モジュールであり、前記第２のコンポーネントがインバータである、
装置。
【請求項８】
コントローラと前記第２のコンポーネントとをさらに備え、
前記第２のコンポーネントが前記第１のＩＤ及び前記第２のＩＤを前記コントローラに伝達する、
請求項７に記載の装置。
【請求項９】
前記コントローラが前記関連付けを生成し該関連付けを前記マスタコントローラに伝達する、
請求項８に記載の装置。
【請求項１０】
前記関連付けが変化したと判定した場合に、前記マスタコントローラが、前記第１のコンポーネント又は前記第２のコンポーネントの少なくとも一方による発電を阻止する、
請求項７に記載の装置。
【請求項１１】
前記マスタコントローラが前記第１のコンポーネント又は前記第２のコンポーネントの少なくとも一方の所在地を決定する、
請求項７に記載の装置。
【請求項１２】
前記第２のコンポーネントをさらに備え、
前記第２のコンポーネントが前記電子タグから前記第１のＩＤを電子的に読み取る、
請求項７に記載の装置。
【請求項１３】
前記インバータをさらに備え、
前記インバータが、前記第２のＩＤを記憶するためのメモリと、前記第１のＩＤ及び前記第２のＩＤをコントローラに送信するためのトランシーバとを備える、
請求項７に記載の装置。
【発明の詳細な説明】
【技術分野】
【０００１】
[0001]本開示の実施形態は一般に太陽光発電システムに関し、より具体的には、太陽光発電システム内に許可なく再配置された太陽光発電システムコンポーネントを識別するための方法及びシステムに関する。
【関連技術の説明】
【０００２】
[0002]既存の化石燃料の急速な枯渇、及び現在の発電方法のコスト増加に起因して、再生可能資源からエネルギーを生産するための分散型発電機（ＤＧ）の使用が商業的な支持を着実に集めている。そのような一つのタイプのＤＧを太陽光発電システム内で利用することができ、太陽光発電システム内の各ＤＧは、太陽から受け取った太陽エネルギーを直流（ＤＣ）に変換する光起電（ＰＶ）モジュールから成る。続いて、インバータがＰＶモジュールからの直流電流を交流（ＡＣ）に変換する。ＤＧによって生成された交流電力は、その後、家庭若しくは職場において電化製品に給電するために使用したり、民営の電力会社に売却したりすることができる。
【０００３】
[0003]太陽光電力を生成するためのＤＧの配置がますます普及をみせ、その結果、価格競争もより活発になってきているが、そのようなＤＧの設置は、例えば個々のＰＶモジュール及びインバータのコストなど、相当なコストを依然として伴う。ＤＧコンポーネントのモジュール性に加えて、ＤＧの設置場所が戸外の、時には隔絶された場所であることが、コンポーネントを許可なく取り外して（すなわち盗難）別のＤＧ内での使用のために不法に再販売する機会を与えてしまう。
【０００４】
[0004]したがって、許可なく太陽光発電システム内に再配置された太陽光発電システムコンポーネントを識別することが当技術分野において必要とされている。
【先行技術文献】
【特許文献】
【０００５】
【特許文献１】国際公開第２００９／０２６６０２号パンフレット
【発明の概要】
【０００６】
[0005]本発明の実施形態は、一般に、分散型発電機コンポーネントの再配置を識別するための方法及び装置に関し、方法の少なくとも一部は、少なくとも一つのプロセッサを備えるコントローラによって実行される。一実施形態では、方法は、分散型発電機（ＤＧ）の第１のコンポーネントのための第１の識別情報（ＩＤ）と、ＤＧの第２のコンポーネントのための第２のＩＤとを取得するステップと、第１の識別子と第２の識別子との関連付けを生成するステップであって、関連付けが、第１のコンポーネントと第２のコンポーネントとの関係を識別する、該ステップと、その関連付けが変化したかどうかを判定するために、該関連付けを複数の記録された関連付けと比較するステップとを含む。
【０００７】
[0006]上述した本発明の特徴を詳細に理解できるように、上記で簡潔に要約された本発明について、実施形態を参照してより詳細に述べることができ、実施形態のいくつかは、添付の図面に示されている。しかし、添付の図面は、本発明の典型的な実施形態を示すにすぎず、したがって、本発明の範囲を限定すると見なされるべきではなく、本発明は、他の等しく有効な実施形態も容認できることに留意されたい。
【図面の簡単な説明】
【０００８】
【図１】本発明の一又は複数の実施形態に係る分散型発電のための太陽光発電システムのブロック図である。
【図２】本発明の一又は複数の実施形態に係るインバータのブロック図である。
【図３】本発明の一又は複数の実施形態に係るコントローラのブロック図である。
【図４】本発明の一又は複数の実施形態に係るマスタコントローラのブロック図である。
【図５】本発明の一又は複数の実施形態に係るインバータにおいてＩＤ情報を管理するための方法のフロー図である。
【図６】本発明の一又は複数の実施形態に係るコントローラにおいてＩＤ情報を管理するための方法のフロー図である。
【図７】本発明の一又は複数の実施形態に係る太陽光発電システム内に配置された盗難コンポーネントを識別するための方法のフロー図である。
【発明を実施するための形態】
【０００９】
[0014]図１は、本発明の一又は複数の実施形態に係る分散型発電のための太陽光発電システム１００のブロック図である。太陽光発電システム１００は、まとめて分散型発電機（ＤＧ）１０２と呼ばれる複数のＤＧ１０２１、１０２２、…、１０２ｍと、通信ネットワーク１１２と、マスタコントローラ１１４と、ネットワーク運営センタ（ＮＯＣ）１１６とを備える。ＤＧ１０２、マスタコントローラ１１４、及びＮＯＣ１１６は通信ネットワーク１１２を介して通信可能に結合され、通信ネットワーク１１２は専用ケーブル、ワイヤレスネットワーク、ＬＡＮ、ＷＡＮ、及びインターネットなどを含んでもよい。いくつかの実施形態では、マスタコントローラ１１４はＮＯＣ１１６内にあってもよい。
【００１０】
[0015]各ＤＧ１０２は、まとめて光起電（ＰＶ）モジュール１０４と呼ばれる複数のＰＶモジュール１０４１、１０４２、…、１０４Ｎと、まとめてインバータ１０６と呼ばれる複数のインバータ１０６１、１０６２、…、１０６Ｎとを備え、ＰＶモジュール及びインバータは１対１対応で結合されている。いくつかの実施形態では、各ＰＶモジュール１０４と各インバータ１０６との間にＤＣ／ＤＣコンバータを（例えば、ＰＶモジュール１０４／インバータ１０６ごとに一つのコンバータを）結合してもよい。いくつかの実施形態では、ＰＶモジュール１０４とそれに対応するインバータ１０６とは電気的にだけでなく物理的にも一緒に結合されて統合ＡＣモジュールを形成してもよい。他の実施形態では、ＰＶモジュール１０４と対応するインバータ１０６とは、電気的には一緒に結合されるが物理的には結合されないことがある。加えて、各ＤＧ１０２はコントローラ１０８とＡＣバス１１８とを備える。各ＤＧ１０２内で、インバータ１０６とコントローラ１０８はＡＣバス１１８に結合される。インバータ１０６はＰＶモジュール１０４によって生成された直流電力を変換して交流電力にし、そのような交流電力を分配のためにＡＣバス１１８に結合する。生成された交流電力はロードセンタを介して商用送電網に結合してもよく、及び／又は例えば個人住宅若しくは事業所などの１以上のユーザに直接的に供給してもよい。追加的に又は代替的に、生成された電力は後で使用するために（例えば、バッテリ、温水、ハイドロポンピング、又は水から水素への変換などを利用して）保存されてもよい。いくつかの代替実施形態では、１以上のＤＧ１０２は風力発電施設や水力発電システムなどの他のタイプの再生可能エネルギー源を備えてもよい。
【００１１】
[0016]いくつかの実施形態では、ＰＶモジュール１０４及び対応するインバータ１０６の数はＤＧ１０２間で異なってもよい（すなわち、異なるＤＧ１０２は異なる数のＰＶモジュール／インバータのペアを含むことがある）。一又は複数の代替実施形態では、各ＤＧ１０２内のＰＶモジュール１０４は交流電力を生成するための単一の集中型インバータに結合してもよく、いくつかのそのような代替実施形態では、ＤＣ／ＤＣコンバータをＰＶモジュール１０４と集中型インバータとの間に結合してもよい。他の実施形態では、１以上のＤＧ１０２は、単一の集中型インバータに結合された複数のＰＶモジュール１０４を備えてもよいが、他のＤＧ１０２は、先に説明したように複数のインバータ１０６に１対１対応で結合された複数のＰＶモジュール１０４を備え、又はそれらの任意の組み合わせを備える。
【００１２】
[0017]コントローラ１０８は、ＤＧ１０２を管理し、ＡＣバス１１８上の電力線通信（ＰＬＣ）を介してインバータ１０６と通信する。いくつかの他の実施形態では、コントローラ１０８は他のタイプの有線通信又は無線通信などの代替方法によってインバータ１０６と通信してもよい。コントローラ１０８はさらに、マスタコントローラ１１４と通信するために通信ネットワーク１１２に結合される。
【００１３】
[0018]コントローラ１０８は、ＰＶモジュール１０４及びインバータ１０６の健全性及び性能に関するデータを収集し、そのような情報の少なくとも一部をマスタコントローラ１１４に伝達する。追加的に又は代替的に、マスタコントローラ１１４はそのような情報の少なくとも一部をコントローラ１０８を介してインバータ１０６から直接的に収集してもよい。コントローラ１０８及び／又はマスタコントローラ１１４は、例えば、発電を始動させる命令や発電を停止させる命令などの動作命令をインバータ１０６に伝達してもよい。
【００１４】
[0019]本発明の一又は複数の実施形態によれば、各ＰＶモジュール１０４１、１０４２、…、１０４Ｎは、無線周波数識別（ＲＦＩＤ）タグなどの識別情報（ＩＤ）タグ１１０１、１１０２、…、１１０Ｎに１対１対応で結合してもよい。１以上のＤＧ１０２が他のタイプの再生可能エネルギー源（例えば、風力発電施設又は水力発電システムなど）を備えるいくつかの代替実施形態では、そのような再生可能エネルギー源の１以上のコンポーネントはタグ１１０に結合してもよい。まとめてＩＤタグ１１０と呼ばれるＩＤタグ１１０１、１１０２、…、１１０Ｎは、シリアル番号などのような、対応するＰＶモジュール１０４の各々の一意の識別情報を電子的に提供することが可能である（すなわち、ＩＤタグ１１０の各々は、対応するＰＶモジュール１０４のＰＶモジュールＩＤを提供する）。各ＩＤタグ１１０は、製造中又はＤＧ試運転中に、対応するＰＶモジュール１０４に結合してもよく、あるいは、ＩＤタグ１１０はＰＶモジュール１０４自体のコンポーネントであってもよい。ＩＤタグ１１０は受動的であってもよいし（すなわち、電源を必要としない）能動的であってもよい（例えば、バッテリ若しくは他の電源によって給電される）。
【００１５】
[0020]いくつかの実施形態では、以下でさらに説明するように、各インバータ１０６は、対応するＩＤタグ１１０からＰＶモジュールＩＤを取得するためにＩＤ管理モジュール１２０を備えてもよい（すなわち、インバータ１０６１、１０６２、…、１０６Ｎはそれぞれ、ＩＤ管理モジュール１２０１、１２０２、…、１２０Ｎを備える）。いくつかの実施形態では、各インバータ１０６は、インバータに対応するＰＶモジュール１０４のＩＤタグ１１０に問い合わせてＰＶモジュールＩＤを取得してもよく、あるいは、ＩＤタグ１１０が対応するインバータ１０６にＰＶモジュールＩＤを能動的に送信してもよい。いくつかの実施形態では、インバータ１０６の各々は、ワイヤレスでＰＶモジュールＩＤを無線で取得するためにワイヤレス・トランシーバ（例えば無線トランシーバ）を備えてもよく、あるいは、ＰＶモジュールＩＤは、インバータ１０６と対応するＩＤタグ１１０との間の有線接続を介して取得してもよい。いくつかの代替実施形態では、ＩＤタグ１１０は、例えばＲＦＩＤタグの代わりに単純な読出し専用メモリ（ＲＯＭ）モジュールを備えてもよい。そのような実施形態では、ＲＯＭをインバータ１０６に通信可能に結合するための接触が必要とされ、その場合に、ＲＯＭとインバータ１０６との間の通信はシリアルペリフェラルインタフェース（ＳＰＩ）バスや集積回路間（Ｉ２Ｃ）バスなどのバスを利用してもよい。
【００１６】
[0021]ＰＶモジュールＩＤを取得すると、インバータ１０６はＰＶモジュールＩＤをＰＬＣを介してコントローラ１０８に提供することができる。例えば、インバータ１０６はその情報をコントローラ１０８に能動的に送信してもよいし、コントローラ１０８がそのような情報をインバータ１０６から収集してもよい。いくつかの実施形態では、インバータ１０６は要求時に及び／又は周期的にＰＶモジュールＩＤをＩＤタグ１１０から取得してもよく、ここで、周期性はユーザが設定してもよいし事前に定義されていてもよい。追加的に又は代替的に、インバータ１０６は始動時にＰＶモジュールＩＤを取得してもよい。例えば、インバータ１０６は初期ターンアップ（ｔｕｒｎ  ｕｐ）時に及び／又は日次の始動後（例えば日の出後）にＰＶモジュールＩＤを取得してもよい。一又は複数の代替実施形態では、コントローラ１０８はＰＶモジュールＩＤをＩＤタグ１１０からワイヤレスで直接的に取得してもよい（すなわち、コントローラ１０８は情報を取得するための無線トランシーバを備えてもよい）。例えば、ＩＤタグ１１０がＰＶモジュールＩＤをコントローラ１０８に能動的に送信してもよいし、コントローラ１０８がＰＶモジュールＩＤをＩＤタグ１１０に直接的に問い合わせてもよい。
【００１７】
[0022]ＰＶモジュールＩＤをコントローラ１０８に提供することに加えて、インバータ１０６の各々は、インバータのメモリ内に記憶されたシリアル番号などの一意のインバータＩＤもコントローラ１０８に提供してよい。続いて、コントローラ１０８はＰＶモジュールＩＤを対応するインバータＩＤと関連付け、それによって、ＰＶモジュール１０４とインバータ１０６との関係（すなわち、どのＰＶモジュール１０４がどのインバータ１０６に結合されるか）を示すことができる。あるいは、インバータ１０６はそのような関連付けを行いコントローラ１０８に伝達してもよい。
【００１８】
[0023]いくつかの実施形態では、コントローラ１０８はＰＶモジュールＩＤ及び／又はインバータＩＤをコントローラＩＤ（例えば、コントローラのメモリ内に記憶されたＩＤ）と関連付け、それによって、ＰＶモジュール１０４及び／又はインバータ１０６がどのＤＧ１０２内に存在するかを識別してもよい。いくつかの代替実施形態では、コントローラ１０８は、インバータ１０６に対応するインバータＩＤだけを取得し、インバータＩＤをコントローラＩＤと関連付けてもよい（例えば、いくつかの代替実施形態では、インバータ１０６は、ＡＣモジュールのように、ＰＶモジュール１０４の統合コンポーネントとすることができ、単一のインバータＩＤが、統合されたインバータ／ＰＶモジュールを識別する）。
【００１９】
[0024]コントローラ１０８は、関連付けられたＩＤ情報（例えば、ＰＶモジュールＩＤとインバータＩＤとの関連付け、ＰＶモジュールＩＤとコントローラＩＤとの関連付け、インバータＩＤとコントローラＩＤとの関連付けなど）をマスタコントローラ１１４に伝達する。例えば、コントローラ１０８がその情報をマスタコントローラ１１４に能動的に送信してもよいし、マスタコントローラ１１４がそのような情報をコントローラ１０８から収集してもよい。いくつかの実施形態では、コントローラ１０８は、情報の受信時に、要求時に、定期的に、又は設定されたスケジュールに基づくなどして、その情報をマスタコントローラ１１４に送信してもよい。一又は複数の代替実施形態では、マスタコントローラ１１４は１以上のＤＧ１０２のコンポーネントについてのＩＤ（例えばＰＶモジュールＩＤ、インバータＩＤ、及び／又はコントローラＩＤ）をコントローラ１０８又はインバータ１０６から（例えばコントローラ１０８を介して）直接的に取り出してもよい。そのような実施形態では、マスタコントローラ１１４は取得したＩＤの一部又は全部を関連付けてもよく、例えば、各ＤＧ１０２に対して、マスタコントローラ１１４はＰＶモジュールＩＤ及び／又はインバータＩＤを対応するコントローラＩＤに関連付けてもよい。あるいは、ＩＤ情報の一部又は全部は、マスタコントローラ１１４によって取得されたときに既に関連付けられていてもよい。
【００２０】
[0025]マスタコントローラ１１４は、ＤＧ１０２についての以前に記録したＩＤ関連付け情報をコンポーネント追跡データベース内に保持する。例えば、新しいＤＧ１０２が作動された場合や、既存のＤＧ１０２内でＰＶモジュール１０４若しくはＰＶモジュール１０４とインバータ１０６とのペア（すなわちＡＣモジュール）が交換された場合など、１以上のコンポーネントがシステム１００に追加された場合に、マスタコントローラ１１４は新たに追加されたコンポーネントについてのＩＤ関連付けを分析する。そのような分析は、新たに追加されたコンポーネントについてのＩＤ関連付けを、コンポーネント追跡データベース内に以前に記録したＩＤ関連付けと比較することを含む。比較に基づいて、マスタコントローラ１１４は何らかのＩＤミスマッチが存在するかどうかを、すなわち新たに追加されたコンポーネントのＩＤについてのいずれかの関連付けが、以前に記録したＩＤ関連付けから変化しているかどうかを判定する。ＩＤ関連付けのそのような変化は、新たに追加されたコンポーネントの一つ又は複数が異なるＤＧコンポーネントに以前は関連付けられており、太陽光発電システム１００内に許可なく再配置された（例えば、特定のＤＧ１０２から盗まれて別のＤＧ１０２内で利用されている）ことを示している。例えば、ＰＶモジュール１０４がＤＧ１０２に追加された場合に、対応するＰＶモジュールＩＤは、以前にコンポーネント追跡データベース内に記録したものとは異なるインバータＩＤに関連付けられることがある。ＩＤ関連付けのそのような変化は、ＰＶモジュール１０４が許可なく別のＤＧ１０２から取り外されたことを示している。
【００２１】
[0026]いくつかの実施形態では、対応するコンポーネントが太陽光発電システム１００内に実際に合法的に再配置されたので、コンポーネントが許可なく再配置されたことを示すものとしてＩＤ関連付けの変化を見なすべきではない、ということを示すための印を、ＩＤ、及び／又はＩＤ間の関連付けが含んでもよい。例えば、ＤＧを有する自宅所有者は、自分のシステムの１以上のコンポーネントを、やはりＤＧを有する別の自宅所有者に販売することを決定することができる。
【００２２】
[0027]１以上のＩＤミスマッチ（すなわちＩＤ関連付けの変化）が判定された場合には、対応するコンポーネントが盗まれたものと見なすことができ、マスタコントローラ１１４は対応するコントローラ１０８に適切なコマンドを発行することによって、盗まれたコンポーネントからの発電を停止させることができる。マスタコントローラ１１４は、例えば、盗まれたコンポーネントが見つかったＤＧ１０２のためのコントローラ１０８のＩＰアドレスを利用することによって、盗まれたコンポーネントの現在地を判定することもできる。追加的に又は代替的に、マスタコントローラ１１４はユーザ（例えばＤＧ１０２の所有者）に及び／又は適切な当局、すなわち警察に、通知を発行してもよい。
【００２３】
[0028]ＤＧ１０２に新たに追加されたコンポーネントについてＩＤのミスマッチが見出されない（すなわちＩＤ関連付けに変化がない）場合には、マスタコントローラ１１４は新たに追加されたコンポーネントに対応するＩＤ関連付けを追加することによってコンポーネント追跡データベースを更新する。いくつかの実施形態では、マスタコントローラ１１４はＤＧ１０２の一又は複数のコンポーネントについてのＩＤ関連付けを定期的に分析してもよく、例えば、マスタコントローラ１１４は、設定されたスケジュールに基づいて、又はＤＧが日の出後に発電を開始するときに、ＩＤ関連付けを分析してもよい。加えて、マスタコントローラ１１４はコンポーネント追跡データベースを定期的に（例えばＩＤ関連付けが分析される度に）更新してもよい。
【００２４】
[0029]図２は、本発明の一又は複数の実施形態に係るインバータ１０６のブロック図である。インバータ１０６は、電力変換モジュール２０２と、変換制御モジュール２０４と、ＡＣ電圧サンプラ２０６と、インバータ制御モジュール２０８とを備える。
【００２５】
[0030]電力変換モジュール２０２は、２つの入力端子を介してＰＶモジュール１０４に結合され、２つの出力端子を介してＡＣバス１１８に結合される。変換制御モジュール２０４は電力変換モジュール２０２及びインバータ制御モジュール２０８に結合される。ＡＣ電圧サンプラ２０６は、電力変換モジュール２０２の２つの出力端子と、変換制御モジュール２０４とに結合される。ＡＣ電圧サンプラ２０６は、例えばＡＣ商用送電網電圧など、線間電圧のサンプルを変換制御モジュール２０４に提供し、変換制御モジュール２０４は、ＰＶモジュール１０４からの直流電力を交流電力に変換するために制御信号及びスイッチング信号を電力変換モジュール２０２に提供する。生成された交流電力は、その後、ＡＣ送電網電圧と同相となるように商用送電網に結合することができる。
【００２６】
[0031]インバータ制御モジュール２０８は、インバータＰＬＣトランシーバ２１０と、インバータ・ワイヤレス・トランシーバ２１２と、サポート回路２１６と、メモリ２１８とを備え、その各々は、中央処理装置（ＣＰＵ）２１４に結合される。ＣＰＵ２１４は、１以上の従来通り利用可能なマイクロプロセッサを備えてもよい。追加的に又は代替的に、ＣＰＵ２１４は１以上の特定用途向け集積回路（ＡＳＩＣ）を備えてもよい。サポート回路２１６は、ＣＰＵ２１４の機能を促進するために使用される周知の回路である。そのような回路には、キャッシュや電源、クロック回路、バス、ネットワークカード、入出力（Ｉ／Ｏ）回路などがあるが、それらに限定されない。インバータ制御モジュール２０８は、特定のソフトウェアを実行すると本発明の様々な実施形態を実行するための専用コンピュータとなる汎用コンピュータを使用することで、実施してもよい。
【００２７】
[0032]インバータ・ワイヤレス・トランシーバ２１２は、例えばＰＶモジュールＩＤをＩＤタグ１１０に能動的に問い合わせることによってＰＶモジュールＩＤを取得するために、インバータ１０６をＩＤタグ１１０に通信可能に結合する。ＰＶモジュールＩＤがインバータ１０６と対応するＩＤタグ１１０との間の有線接続を介して取得されるいくつかの代替実施形態では、インバータ制御モジュール２０８はインバータ・ワイヤレス・トランシーバ２１２を備えなくてもよい。
【００２８】
[0033]インバータＰＬＣトランシーバ２１０は、ＰＬＣによってコントローラ１０８と通信するためにＡＣバス１１８を介して結合される。そのような通信は、ＰＶモジュールＩＤ及び／又はインバータＩＤ情報（例えばＩＤや、ＩＤの関連付け）をコントローラ１０８に提供することや、コントローラ１０８から動作命令（例えば、発電の開始、発電の停止）を受信することなどを含んでもよい。一又は複数の代替実施形態では、インバータ制御モジュール２０８は、例えばＷＩ−ＦＩやＷＩ−ＭＡＸモデム、３Ｇモデム、ケーブルモデム、デジタル加入者回線（ＤＳＬ）、光ファイバ、又は類似のタイプの技術などの、無線又は他のタイプの有線通信方法を利用して、コントローラ１０８及び／又はマスタコントローラ１１４と通信することができる。そのような実施形態では、インバータ制御モジュール２０８はインバータＰＬＣトランシーバ２１０を備えなくてもよい。
【００２９】
[0034]メモリ２１８は、ランダムアクセスメモリ、読出し専用メモリ、取外し可能なディスクメモリ、フラッシュメモリ、及びこれらのタイプのメモリの様々な組み合わせを含み得る。メモリ２１８は、時にはメインメモリと呼ばれ、部分的にキャッシュメモリ又はバッファメモリとして使用することができる。メモリ２１８は、ＣＰＵ機能によってサポートされ得るインバータ制御モジュール２０８のオペレーティングシステム２２０を一般に記憶する。オペレーティングシステム２２０は、Ｌｉｎｕｘ及びリアルタイムオペレーティングシステム（ＲＴＯＳ）などの、しかしそれらに限定されない、多くの市販のオペレーティングシステムの一つであってもよい。
【００３０】
[0035]メモリ２１８は、インバータ１０６を管理するための（例えば、インバータ１０６による発電を管理するための）インバータ管理ソフトウェア２２２など、様々な形態のアプリケーションソフトウェアを記憶してもよい。加えて、メモリ２１８は、本発明に関連する様々な機能を実行するためのＩＤ管理モジュール１２０を記憶してもよい。そのような機能は、ＰＶモジュールＩＤの取出し、インバータＩＤの取出し、ＰＶモジュールＩＤとインバータＩＤとの関連付け、並びに／又はＰＶモジュールＩＤ、インバータＩＤ、及び／若しくは関連する情報（例えばＩＤの関連付け）のコントローラ１０８への提供を含んでもよい。メモリ２１８は、ＰＶモジュールＩＤ、インバータＩＤ、ＰＶモジュールＩＤとインバータＩＤとを関連付ける情報などの情報を記憶するためのインバータデータベース２２６も記憶してよい。
【００３１】
[0036]図３は、本発明の一又は複数の実施形態に係るコントローラ１０８のブロック図である。コントローラ１０８は、コントローラＰＬＣトランシーバ３０２と、コントローラ・トランシーバ３０４と、少なくとも一つの中央処理装置（ＣＰＵ）３０６と、サポート回路３０８と、メモリ３１０とを備える。ＣＰＵ３０６は、コントローラＰＬＣトランシーバ３０２と、コントローラ・トランシーバ３０４と、サポート回路３０８と、メモリ３１０とに結合され、１以上の従来どおり利用可能なマイクロプロセッサを備えてもイオ。追加的に又は代替的に、ＣＰＵ３０６は１以上の特定用途向け集積回路（ＡＳＩＣ）を備えてもよい。サポート回路３０８は、ＣＰＵ３０６の機能を促進するために使用される周知の回路である。そのような回路には、キャッシュ、電源、クロック回路、バス、ネットワークカード、入出力（Ｉ／Ｏ）回路などがあるが、それらに限定されない。コントローラ１０８は、特定のソフトウェアを実行すると本発明の様々な実施形態を実行するための専用コンピュータとなる汎用コンピュータを使用することで実施してもよい。
【００３２】
[0037]コントローラＰＬＣトランシーバ３０２は、ＰＬＣによってインバータ１０６と通信するためにＡＣバス１１８に結合されて、例えば、ＰＶモジュールＩＤ及び／又はインバータＩＤ情報（例えばＩＤや、ＩＤ間の関連付け）の取得や、動作命令（例えば、発電の開始、発電の停止）の提供などを行う。一又は複数の代替実施形態では、コントローラ１０８は、例えばＷＩ−ＦＩ若しくはＷＩ−ＭＡＸモデム、３Ｇモデム、ケーブルモデム、デジタル加入者回線（ＤＳＬ）、光ファイバ、又は類似のタイプの技術などの、無線又は他のタイプの有線通信方法を利用して、インバータ１０６と通信してもよい。
【００３３】
[0038]コントローラ・トランシーバ３０４は、（例えば、コントローラ１０８及び／又はインバータ１０６を操作するための）ＤＧ１０２の管理を容易にするために、コントローラ１０８を通信ネットワーク１１２を介してマスタコントローラ１１４に通信可能に結合する。コントローラ１０８は、ＤＧ１０２に関する情報（例えば、ＰＶモジュールＩＤ、インバータＩＤ、コントローラＩＤ、ＰＶモジュールＩＤとインバータＩＤ及び／又はコントローラＩＤとの関連付け、並びに類似の情報）をコントローラ・トランシーバ３０４を介してマスタコントローラ１１４に提供することができる。コントローラ・トランシーバ３０４はネットワーク１１２に結合してそのような通信を提供するために、例えばＷＩ−ＦＩ若しくはＷＩ−ＭＡＸモデム、３Ｇモデム、ケーブルモデム、デジタル加入者回線（ＤＳＬ）、光ファイバ、又は類似のタイプの技術などの無線又は有線技法を用いてもよい。
【００３４】
[0039]メモリ３１０は、ランダムアクセスメモリ、読出し専用メモリ、取外し可能なディスクメモリ、フラッシュメモリ、及びこれらのタイプのメモリの様々な組み合わせを含み得る。メモリ３１０は、時にはメインメモリと呼ばれ、部分的にキャッシュメモリ又はバッファメモリとして使用することができる。メモリ３１０はコントローラ１０８のオペレーティングシステム３１２を一般に記憶する。オペレーティングシステム３１２は、サンマイクロシステムズ社のＳＯＬＡＲＩＳ、ＩＢＭ社のＡＩＸ、ヒューレッドパッカード社のＨＰ−ＵＸ、レッドハットソフトウェアのＬｉｎｕｘ、及びマイクロソフト社のＷｉｎｄｏｗｓ  ２０００などの、しかしそれらに限定されない、多くの市販のオペレーティングシステムの一つであってもよい。
【００３５】
[0040]メモリ３１０は、対応するＤＧ１０２及び対応するコンポーネントを管理する（例えば、インバータ発電を制御する）ためのＤＧ管理ソフトウェア３１４など、様々な形態のアプリケーションソフトウェアを記憶することができる。加えて、メモリ３１０は、本発明に関連する様々な機能を実行するためのＤＧ  ＩＤ管理ソフトウェア３１６を記憶してもよい。そのような機能は、ＰＶモジュールＩＤ及び／若しくはインバータＩＤを取得すること、ＰＶモジュールＩＤを対応するインバータＩＤに関連付けるか又はそのような情報をインバータ１０６から取得すること、ＰＶモジュールＩＤ及び／若しくはインバータＩＤをＤＧ１０２に（例えばコントローラＩＤに）関連付けること、並びに／又はＩＤ情報（例えば、ＰＶモジュールＩＤ、インバータＩＤ、コントローラＩＤ、若しくはＩＤ間の関連付けなど）をマスタコントローラ１１４に提供することを含み得る。メモリ３１０は、ＰＶモジュールＩＤ及び／又はインバータＩＤ、コントローラＩＤ、並びにＩＤ間の関連付けなど、本発明に関連する情報を記憶するためのコントローラデータベース３１８を備えてもよい。
【００３６】
[0041]図４は、本発明の一又は複数の実施形態に係るマスタコントローラ１１４のブロック図である。マスタコントローラ１１４はマスタコントローラ・トランシーバ４０２と、サポート回路４０６と、メモリ４０８とを備え、その各々は少なくとも一つの中央処理装置（ＣＰＵ）４０４に結合される。ＣＰＵ４０４は、１以上の従来通り利用可能なマイクロプロセッサを備えてもよい。追加的に又は代替的に、ＣＰＵ４０４は１以上の特定用途向け集積回路（ＡＳＩＣ）を備えてもよい。サポート回路４０６は、ＣＰＵ４０４の機能を促進するために使用される周知の回路である。そのような回路にはキャッシュ、電源、クロック回路、バス、ネットワークカード、入出力（Ｉ／Ｏ）回路などがあるが、それらに限定されない。マスタコントローラ１１４は、特定のソフトウェアを実行すると本発明の様々な実施形態を実行するための専用コンピュータとなる汎用コンピュータを使用することで実施してもよい。
【００３７】
[0042]マスタコントローラ・トランシーバ４０２は、（例えば、コントローラ１０８及び／又はインバータ１０６を操作するための）ＤＧ１０２の管理を容易にするために、マスタコントローラ１１４を通信ネットワーク１１２を介してコントローラ１０８に通信可能に結合する。加えて、マスタコントローラ１１４はＤＧ１０２に関するＩＤ情報（例えば、ＰＶモジュールＩＤ、インバータＩＤ、コントローラＩＤ、ＩＤ間の関連付け、及び類似の情報）をコントローラ・トランシーバ３０４を介してコントローラ１０８から受信してもよい。マスタコントローラ・トランシーバ４０２は、ネットワーク１１２に結合してそのような通信を提供するために、例えばＷＩ−ＦＩ若しくはＷＩ−ＭＡＸモデム、３Ｇモデム、ケーブルモデム、デジタル加入者回線（ＤＳＬ）、光ファイバ、又は類似のタイプの技術などの無線又は有線技法を利用することができる。
【００３８】
[0043]メモリ４０８はランダムアクセスメモリ、読出し専用メモリ、取外し可能なディスクメモリ、フラッシュメモリ、及びこれらのタイプのメモリの様々な組み合わせを含み得る。メモリ４０８は、時にはメインメモリと呼ばれ、部分的にキャッシュメモリ又はバッファメモリとして使用することができる。メモリ４０８はマスタコントローラ１１４のオペレーティングシステム４１０を一般に記憶する。オペレーティングシステム４１０は、サンマイクロシステムズ社のＳＯＬＡＲＩＳ、ＩＢＭ社のＡＩＸ、ヒューレッドパッカード社のＨＰ−ＵＸ、レッドハットソフトウェアのＬｉｎｕｘ、及びマイクロソフト社のＷｉｎｄｏｗｓ  ２０００などの、しかしそれらに限定されない、多くの市販のオペレーティングシステムの一つであってもよい。
【００３９】
[0044]メモリ４０８は、太陽光発電システム１００のＤＧ１０２を管理するための（例えば、インバータ１０６を操作するための命令をコントローラ１０８に提供するための）システム管理ソフトウェア４１２などの、様々な形態のアプリケーションソフトウェアを記憶してもよい。加えて、メモリ４０８は、ＤＧ１０２の管理に関するデータを記憶するためのマスタコントローラデータベース４１６や（例えば、ＰＶモジュールＩＤ、インバータＩＤ、及び／又はコントローラＩＤ、並びにＩＤ間の関連付けなど）、本発明に関連するデータを記憶するためのコンポーネント追跡データベース４１８などの様々なデータベースを備えてもよい。
【００４０】
[0045]メモリ４０８は、本発明に関連する様々な機能を実行するためのコンポーネント追跡ソフトウェア４１４をさらに記憶してもよい。そのような機能は、コントローラ１０８及び／又はインバータ１０６からＩＤ情報を取得することや、ＰＶモジュールＩＤ、インバータＩＤ、及び／又はコントローラＩＤの間の関連付けを生成することなどを含むことができる。加えて、コンポーネント追跡ソフトウェア４１４は、何らかのＩＤミスマッチ（すなわち、いずれかのＩＤ関連付けが以前に記録したものと異なるかどうか）を識別するために、１以上のＤＧコンポーネントについてのＩＤ関連付けをコンポーネント追跡データベース４１８内のＩＤ関連付けと比較することによってＩＤ関連付けを分析する。そのようなＩＤミスマッチ（例えば、以前に記録したものとは異なるインバータＩＤと関連付けられたＰＶモジュールＩＤ、以前に記録したものとは異なるコントローラＩＤと関連付けられたＰＶモジュールＩＤ／インバータモジュールＩＤのペア）は、対応するコンポーネントが太陽光発電システム１００内に許可なく再配置された（例えば、特定のＤＧ１０２から盗まれて別のＤＧ１０２内で利用されている）ことを示している。
【００４１】
[0046]太陽光発電システム１００内のいずれかのコンポーネントが許可なく再配置されたと判定された場合に、マスタコントローラ１１４は適切なインバータ１０６に、対応するコントローラ１０８を介して制御コマンドを発行することによって、対応するコンポーネントからの発電を阻止してもよい。加えて、マスタコントローラ１１４は、例えば通信ネットワーク１１２を介して、適切な当局及び／又はＤＧユーザに通知を発行してもよい。
【００４２】
[0047]図５は、本発明の一又は複数の実施形態に係るインバータにおいてＩＤ情報を管理するための方法５００のフロー図である。以下で説明する実施形態などのいくつかの実施形態では、インバータはＤＧ内に配置され、ＰＶモジュールからの直流電力を変換して交流電力にするためにＰＶモジュールに結合される（例えば、ＰＶモジュール１０４が、ＤＧ１０２内のインバータ１０６に結合される）。代替実施形態では、インバータは複数のＰＶモジュールに結合されてもよい。加えて、インバータは、先に説明したように、インバータを管理するためにコントローラ（例えばコントローラ１０８）に結合される。一又は複数の代替実施形態では、ＤＧは他のタイプの再生可能エネルギー源（例えば、風力発電施設又は水力発電システムなど）を備えてもよく、エネルギー源からの直流電力を変換して交流電力にするためにインバータがそのようなエネルギー源に結合される。
【００４３】
[0048]方法５００はステップ５０２において開始してステップ５０４に進み、インバータは、シリアル番号などの一意のＰＶモジュールＩＤを取得して、結合されたＰＶモジュールを識別する。いくつかの実施形態では、ＩＤタグ（例えば、ＲＦＩＤタグ、単純なＲＯＭモジュール、又はＩＤを伝達するための類似のデバイスとすることができる、ＩＤタグ１１０）は、ＰＶモジュールＩＤを提供するためにＰＶモジュールに結合される。ＩＤタグはＤＧの試運転中又はＰＶモジュールの製造中にＰＶモジュールに結合することができ、あるいはＩＤタグをＰＶモジュールに組み込むこともできる。ＩＤタグは受動的であってもよいし（すなわち、電源を必要としない）、能動的であってもよい（例えば、バッテリ若しくは他の電源によって給電される）。ＤＧが他のタイプの再生可能エネルギー源を含む一又は複数の代替実施形態では、インバータは、例えばコンポーネントに結合されたＩＤタグからそのような再生可能エネルギー源の一又は複数のコンポーネントについての一意のＩＤを取得してもよい。
【００４４】
[0049]インバータは、ワイヤレス・トランシーバ（例えばインバータ内のワイヤレス・トランシーバ）を利用してＰＶモジュールＩＤをＩＤタグからワイヤレスで取得することができる。あるいは、ＰＶモジュールＩＤはインバータとＩＤタグとの間の有線接続を介して取得してもよい。いくつかの実施形態では、インバータはＩＤタグに問い合わせてＰＶモジュールＩＤを取得することができ、あるいは、ＩＤタグはＰＶモジュールＩＤをインバータに能動的に送信してもよい。インバータは、ＤＧの試運転中又は既存のインバータ及び／若しくはＰＶモジュールを交換した場合などのインバータの初期始動時に、ＰＶモジュールＩＤをＩＤタグから取得してもよい。いくつかの実施形態では、インバータはＰＶモジュールＩＤをＩＤタグから周期的に取得してもよく、周期性はユーザが設定してもよいし事前に定義されていてもよい。追加的に又は代替的に、インバータは、例えば、日の出後に、インバータを動作させるのに十分な太陽エネルギーが供給されるようになった後のインバータの日次の始動後に、ＰＶモジュールＩＤを取得してもよい。
【００４５】
[0050]いくつかの実施形態では、インバータは取得したＰＶモジュールＩＤをそのメモリ内に記憶してもよい。追加的に又は代替的に、インバータのメモリはシリアル番号などのインバータについての一意のＩＤを記憶してもよい。
【００４６】
[0051]方法５００はステップ５０６に進む。ステップ５０６において、インバータは例えばＰＬＣによってＰＶモジュールＩＤをコントローラに伝達する。加えて、インバータはインバータＩＤ及び／又はＰＶモジュールＩＤとインバータＩＤとの関連付け（すなわち、特定のＰＶモジュールが特定のインバータに結合されていることの表示）をコントローラに伝達してもよい。いくつかの実施形態では、インバータはＰＶモジュールＩＤ、インバータＩＤ、及び／又はＩＤ関連付けをコントローラに能動的に送信してもよい。あるいは、コントローラはそのようなＩＤ情報の一部又は全部をインバータから取り出してもよい。一又は複数の代替実施形態では、インバータは他のタイプの有線通信及び／又は無線通信を介してコントローラと通信してもよい。方法５００はステップ５０８へ進み、そこで終了する。
【００４７】
[0052]図６は、本発明の一又は複数の実施形態に係るコントローラにおいてＩＤ情報を管理するための方法６００のフロー図である。以下で説明する実施形態などのいくつかの実施形態では、ＤＧは、ＰＶモジュールからの直流電力を変換して交流電力にするための複数のインバータに１対１対応で結合された複数のＰＶモジュールを備える（例えば、ＰＶモジュール１０４は、ＤＧ１０２内のインバータ１０６に結合される）。いくつかの代替実施形態では、各インバータは複数のＰＶモジュールに結合してもよく、複数のＰＶモジュールは、直流電力を変換するための単一の集中型インバータに結合してもよい。コントローラ（例えばコントローラ１０８）はインバータを管理するためにインバータに結合され、マスタコントローラ（例えばマスタコントローラ１１４）はＤＧを管理するために通信ネットワークを介してコントローラに通信可能に結合される。いくつかの代替実施形態では、ＤＧは他のタイプの再生可能エネルギー源（例えば、風力発電施設又は水力発電システムなど）を備えてもよく、エネルギー源からの直流電力を変換して交流電力にするために、一又は複数のインバータがそのようなエネルギー源に結合される。
【００４８】
[0053]方法５００に関して先に説明したように、各インバータは、それが結合されたＰＶモジュールを識別する一意のＰＶモジュールＩＤを取得する。加えて、各インバータは一意のインバータＩＤ及び／又はＩＤ関連付け情報をそのメモリ内に記憶してもよい。ＤＧが他のタイプの再生可能エネルギー源を含む一又は複数の代替実施形態では、インバータは、例えばコンポーネントに結合されたＩＤタグから、そのような再生可能エネルギー源の一又は複数のコンポーネントについての一意のＩＤを取得してもよい。
【００４９】
[0054]方法６００はステップ６０２において開始してステップ６０４に進み、コントローラはインバータからＩＤ情報を取得する。コントローラは、インバータが例えばＤＧの試運転中に最初に始動されたときや１以上のインバータ及び／若しくはＰＶモジュールがＤＧ内で交換されたときに、ＩＤ情報を取得してもよい。いくつかの実施形態では、コントローラは周期的にＩＤ情報を取得することができ、周期性はユーザが設定してもよいし事前に定義されていてもよい。追加的に又は代替的に、コントローラは、インバータを動作させるのに十分な太陽エネルギーが供給されるようになった後、例えば日の出後に、インバータの日次の始動に続いてＩＤ情報を取得してもよい。
【００５０】
[0055]ＩＤ情報は、ＰＶモジュールＩＤ及び／又はインバータＩＤなどのＤＧのコンポーネントを一意的に識別するＩＤを含む。加えて、ＩＤ情報は、ＰＶモジュールとインバータとの関係（すなわち、どのＰＶモジュールがどのインバータに結合されるか）を示すＩＤ関連付けを含んでもよい。いくつかの実施形態では、コントローラはＰＶモジュールＩＤ及びインバータＩＤを受信し、対応するＩＤ間の関連付けを生成してもよい。コントローラは、ＰＶモジュールＩＤ及び／又はインバータＩＤをそのメモリ内に記憶された一意のコントローラＩＤと関連付けることもでき、コントローラはＩＤ情報のすべてのうちのいくつかをそのメモリ内に記憶してもよい。いくつかの代替実施形態では、コントローラは、例えばＰＶモジュールに結合されたＩＤタグから直接的にＰＶモジュールＩＤを取得してもよい。
【００５１】
[0056]方法６００はステップ６０６に進む。ステップ６０６において、コントローラは、例えば先に説明したような有線又は無線通信技術を利用してＩＤ情報（例えば、ＰＶモジュールＩＤ、インバータＩＤ、コントローラＩＤ、ＩＤ間の関連付け）の少なくとも一部をマスタコントローラに伝達し、いくつかの実施形態では、マスタコントローラはコントローラからＩＤ情報を取り出してもよい。コントローラは、例えばＤＧの試運転中に、ＤＧの１以上のコンポーネントが交換されたときなどの初期始動時に、要求時に、定期的に（例えば、日の出後のインバータの日次の始動時に）、及び／又は設定されたスケジュールに基づいて、ＩＤ情報をマスタコントローラに伝達してもよい。方法６００はステップ６０８へ進み、そこで終了する。
【００５２】
[0057]図７は、本発明の一又は複数の実施形態に係る太陽光発電システム内に許可なく再配置されたコンポーネントを識別するための方法７００のフロー図である。以下で説明する実施形態などのいくつかの実施形態では、マスタコントローラは太陽光発電システム内の複数のＤＧに通信可能に結合される（例えば、マスタコントローラ１１４は太陽光発電システム１００内のＤＧ１０２に結合される）。各ＤＧは、ＰＶモジュールからの直流電力を変換して交流電力にするための複数のインバータに１対１対応で結合された複数のＰＶモジュールを備える。一又は複数の代替実施形態では、１以上のインバータは複数のＰＶモジュールに結合することができ、及び／又は１以上のＤＧの各々は、直流電力を変換するために、複数のＰＶモジュールに結合された単一の集中型インバータを備えてもよい。各ＤＧ内では、インバータを管理するために、インバータが例えばＰＬＣによってコントローラに結合される。さらに、コントローラは対応するＤＧを管理するために、（無線技法及び／又は有線技法を利用する通信ネットワークを介して）マスタコントローラに通信可能に結合される。コントローラは、方法６００に関して先に説明したように、対応するＤＧに関するＩＤ情報を取得する。
【００５３】
[0058]いくつかの代替実施形態では、１以上のＤＧは他のタイプの再生可能エネルギー源（例えば、風力発電施設又は水力発電システムなど）を備えてもよく、エネルギー源からの直流電力を変換して交流電力にするために１以上のインバータがそのようなエネルギー源に結合される。そのような実施形態では、インバータは、例えばコンポーネントに結合されたＩＤタグからそのような再生可能エネルギー源の１以上のコンポーネントについての一意のＩＤを取得してもよい。
【００５４】
[0059]方法７００はステップ７０２において開始してステップ７０４に進み、マスタコントローラは太陽光発電システム内のコントローラからＩＤ情報を受信する。コントローラは、コントローラが（例えばＤＧの試運転中に）最初に始動されたときや、コントローラがＩＤ情報を取得したとき（例えば、ＰＶモジュールがＤＧ内で交換されたとき）に、ＩＤ情報をマスタコントローラに提供してもよい。あるいは、コントローラはＩＤ情報をマスタコントローラに周期的に提供してもよく、及び／又はマスタコントローラはＩＤ情報を求めてコントローラに周期的に問い合わせてもよい。そのような周期性の一方又は両方はユーザが定義してもよいし事前に定義されていてもよい。追加的に又は代替的に、マスタコントローラはユーザが要求したときにＩＤ情報を取得してもよい。
【００５５】
[0060]ＩＤ情報は、一又は複数のＤＧ内の一又は複数のコンポーネントに関し、ＰＶモジュールＩＤ、インバータＩＤ、及び／又はコントローラＩＤばかりでなく、コンポーネント間の関係を識別するＩＤ関連付け（例えば、どのＰＶモジュールがどのインバータに結合されているか、並びにどのＰＶモジュール及び／又はインバータがどのコントローラに結合されているかなど）を含んでもよい。いくつかの代替実施形態では、マスタコントローラは、例えばＰＶモジュールに結合されたＩＤタグから直接的にＰＶモジュールＩＤを取得することができ、又はマスタコントローラは、対応するインバータから直接的にＰＶモジュールＩＤを取得してもよい。追加的に又は代替的に、マスタコントローラはインバータから直接的にインバータＩＤを取得してもよい。
【００５６】
[0061]方法７００はステップ７０６に進む。ステップ７０６において、マスタコントローラは受信したＩＤ関連付けを分析する。すなわち、マスタコントローラは受信したＩＤ関連付けを、例えばコンポーネント追跡データベース内に以前に記録した太陽光発電システムについてのＩＤ関連付けと比較する。そのようなコンポーネント追跡データベースはマスタコントローラのメモリ内に常駐していてもよい。いくつかの実施形態では、マスタコントローラは特定のＤＧのためのＰＶモジュールＩＤ及び／又はインバータＩＤを対応するコントローラのコントローラＩＤと関連付けた上で、その関連付けを記録したＩＤ関連付けと比較してもよい。
【００５７】
[0062]ステップ７０８において、マスタコントローラは何らかのＩＤミスマッチが存在するかどうかを、すなわち、受信したＩＤ関連付けのいずれかが、以前に記録したＩＤ関連付けから変化しているかどうか（例えば、以前に記録したものとは異なるインバータＩＤに関連付けられたＰＶモジュールＩＤ、及び以前に記録したものとは異なるコントローラＩＤに関連付けられたＰＶモジュールＩＤ／インバータＩＤのペアなど）を判定する。そのようなＩＤミスマッチ（すなわちＩＤ関連付けの変化）は、対応するコンポーネントが以前に太陽光発電システムの一つのＤＧから許可なく取り外されて太陽光発電システムの別のＤＧ内に再配置されたことを示す。
【００５８】
[0063]いくつかの実施形態では、対応するコンポーネントが太陽光発電システム内に実際に合法的に再配置されたので（例えば、一つのＤＧ所有者から別のＤＧ所有者に販売された）コンポーネントが許可なく再配置されたことを示すものとしてＩＤ関連付けの変化を見なすべきではない、ということを示す印を、ＩＤ、及び／又はＩＤ間の関連付けが含んでいてもよい。
【００５９】
[0064]ステップ７０８において、マスタコントローラがＩＤミスマッチが存在しない（すなわちＩＤ関連付けに変化がない）と判定した場合に、方法７００はステップ７１０に進み、受信したＩＤ情報がコンポーネント追跡データベース内に記憶される。ステップ７０８において、１以上のＩＤミスマッチ（すなわちＩＤ関連付けの変化）が存在すると判明した場合には、方法７００はステップ７１２に進む。ステップ７１２において、マスタコントローラはミスマッチを起こしたＩＤに対応するコンポーネントからの発電を阻止する。例えば、マスタコントローラは、関連するＰＶモジュールがＩＤミスマッチを起こしたことが判明した場合に、対応するコントローラを介して特定のインバータにコマンドを発行して発電を阻止する。
【００６０】
[0065]ステップ７１４において、マスタコントローラは、例えば対応するコントローラのＩＰアドレスを利用して、再配置されたコンポーネントが見つかったＤＧを識別することによって、再配置されたコンポーネントの現在地を判定する。いくつかの実施形態では、マスタコントローラは加えて、例えば通信ネットワークを介して適切な当局又はＤＧユーザ（例えばＤＧの所有者）に通知を提供してもよい。
【００６１】
[0066]ステップ７１６において、マスタコントローラは、受信したＩＤ情報のいずれかが有効であり（すなわちＩＤミスマッチを起こしておらず）、したがって以前に記録していない場合に、コンポーネント追跡データベースに追加すべきであるかどうかを判定する。例えば、新しいＤＧが作動された場合に、マスタコントローラは、各インバータとそれに対応するＰＶモジュールとの間のＩＤ関連付けなど、ＤＧ内の各コンポーネントについてのＩＤ情報を受信してもよい。マスタコントローラは、そのようなＩＤ関連付けの一つ又は複数はＩＤミスマッチを起こしているが、残りのＩＤ関連付けは起こしておらず、したがって、有効であると判定してもよい。ステップ７１６において、マスタコントローラが、受信したＩＤ情報の一部が有効であると判定した場合に、方法７００はステップ７１０に進み、有効なＩＤ情報がコンポーネント追跡データベース内に記憶される。方法７００はステップ７１８へ進み、そこで終了する。ステップ７１６において、マスタコントローラが、新たに受信したＩＤ情報がいずれも有効でないと判定した場合に、方法７００はステップ７１８へ進み、そこで終了する。
【００６２】
[0067]上記の説明は本発明の実施形態に関するが、本発明の基本的な範囲から逸脱することなく、本発明の他の実施形態及びさらなる実施形態を考案することができ、本発明の範囲は、以下の特許請求の範囲によって決定される。
【符号の説明】
【００６３】
１００…太陽光発電システム、１０４…ＰＶモジュール、１０６…インバータ、１０８…コントローラ、１１０…ＩＤタグ、１１２…通信ネットワーク、１１４…マスタコントローラ、１２０…ＩＤ管理モジュール、２０２…電力変換モジュール、２０４…変換制御モジュール、２０６…電圧サンプラ、２０８…インバータ制御モジュール、２１０…インバータＰＬＣトランシーバ、２１２…インバータ・ワイヤレス・トランシーバ、２１６…サポート回路、２１８…メモリ、２２０…オペレーティングシステム、２２２…インバータ管理ソフトウェア、２２６…インバータデータベース、３０２…コントローラＰＬＣトランシーバ、３０４…コントローラ・トランシーバ、３０８…サポート回路、３１０…メモリ、３１２…オペレーティングシステム、３１４…ＤＧ管理ソフトウェア、３１６…ＤＧ  ＩＤ管理ソフトウェア、３１８…コントローラデータベース、４０２…マスタコントローラ・トランシーバ、４０６…サポート回路、４０８…メモリ、４１０…オペレーティングシステム、４１２…システム管理ソフトウェア、４１４…コンポーネント追跡ソフトウェア、４１６…マスタコントローラデータベース、４１８…コンポーネント追跡データベース。
【図１】
0005550725.tif 000002
【図２】
0005550725.tif 000003
【図３】
0005550725.tif 000004
【図４】
0005550725.tif 000005
【図５】
0005550725.tif 000006
【図６】
0005550725.tif 000007
【図７】
0005550725.tif 000008